(57)【要約】【課題】通気性を有して内容物の蒸れや結露を防止し、粉粒体漏れも阻止して、開封を容易且つ完全に行え、開口縁も容易に開け得る開封容易な通気性多層紙袋を提供する。【解決手段】紙による２層以上の多層筒３を折り潰し、多層筒３の粉粒体Ｐ取出側の開口端部４に折り目５を付け、最内層２の内周面２Ａを易剥離性接着剤６にて貼り付け最内層２を塞ぎ、折り目５に沿い開口端部４を折り畳んで、この折畳み片４ｂにＶ字状折り目２３を付けて開口縁２ａを一層分開く状態で、開封用オーバーテープ７にて覆って多層筒３外面に貼り付け、開口端部４を密封する。粉粒体Ｐ充填側の開口端部８に折り目９を付け、この折り目９から開口縁８ａ側に位置する最内層２の内周面２Ａに、熱接着性接着剤１０を予め塗布してなり、この開口端部８も粉粒体Ｐを充填した後に、封緘用オーバーテープ２７にて上記の開口端部４の場合と同様に密封することで、上記課題を達成する。【選択図】 図４
2015155314.tif 000002
【特許請求の範囲】
【請求項１】
紙よりなる２層以上の多層筒を折り潰し、この折潰し多層筒の一方の開口端部にその開口縁に平行な折り目を付け、この折り目から開口縁側に位置する最内層の内周面に、易剥離性接着剤を全周にわたり塗布して貼り付け、前記最内層における開口縁を塞ぎ、前記折り目に沿って一方の開口端部を折り畳んで、この一方の折畳み片における開口縁を開封用オーバーテープにて少なくとも覆い且つ貼り付け、前記一方の開口端部を密封してなり、   前記折潰し多層筒の他方の開口端部にその開口縁に平行な折り目を付け、この折り目から開口縁側に位置する最内層の内周面に、熱接着性接着剤を予め全周にわたり塗布してなることを特徴とする開封容易な通気性多層紙袋。
【請求項２】
封緘用オーバーテープは、前記他方の開口端部に付けた前記折り目に沿って他方の開口端部を折り畳んで形成した他方の折畳み片における前記開口縁を少なくとも覆うと共に、その内側に前記熱接着性接着剤を予め塗布してなり、前記他方の折畳み片の反対側に位置する他方の開口端部に、前記封緘用オーバーテープを予め貼り付けている請求項１記載の開封容易な通気性多層紙袋。
【請求項３】
前記最内層の内周面にある前記易剥離性接着剤の塗布部位から前記開口縁側の前記一方の開口端部に、Ｖ字状折り目を付けて、前記最内層の開口縁が前記多層筒の少なくとも一層分の厚み以上開くようにした請求項１または２記載の開封容易な通気性多層紙袋。
【請求項４】
前記多層筒の一方の開口端部における開口縁を、それぞれ隣接する多層筒の一層に対して順次ズレを生じるように形成し、これらズレの合計長さが１ｍｍないし５ｍｍの範囲内にある請求項１または２記載の開封容易な通気性多層紙袋。
【請求項５】
前記多層筒の一方の開口端部における開口縁を、それぞれ隣接する多層筒の一層に対して内側に位置する層ほど順次凹みズレを生じるように形成し、これら凹みズレの合計長さが１ｍｍないし５ｍｍの範囲内にある請求項１または２記載の開封容易な通気性多層紙袋。
【請求項６】
前記開封用および封緘用オーバーテープは、紙製であり且つ幅方向の紙伸度が８％未満である請求項１ないし５のいずれか１項に記載の開封容易な通気性多層紙袋。
【発明の詳細な説明】
【技術分野】
【０００１】
本発明は、米、麦、コンスターチ、デンプンなどの食品由来の粉粒体、飼料、プラスチック樹脂、セメント、石灰、カーボンブラックなどの粉粒体を収納するための開封容易な通気性多層紙袋に関するものであり、より詳しくは、通気性のある紙により、内容物が蒸れたり結露したりするのを防止すると共に、粉粒体の漏れの完全な阻止を満足した上で、開封用オーバーテープによる開封を容易且つ完全に行うことが出来る通気性多層紙袋に関するものである。
【背景技術】
【０００２】
従来の開封容易な多層紙袋として、図１４に示すように、２層以上の紙製の多層筒５０を折り潰し、この折潰し多層筒５０の一方の開口端部５１にその開口縁５２に平行な折り目５３を付け、この折り目５３に沿って一方の開口端部５１を折り畳み、この一方の折畳み片５４をカットテープ５５付の開封用オーバーテープ５６で覆い貼り付けて、一方の開口端部５１を密封してなり、折潰し多層筒５０の他方の開口端部５７は、その開口縁５８に平行な折り目５９を予め付けておくものが知られている。
【０００３】
そして、他方の開口端部５７から、例えば、米、麦、コンスターチ、デンプンなどの食品に由来する粉粒体を袋内に充填したあと、予め付けてある折り目５９に沿って、他方の開口端部５７を折り畳み、この他方の折畳み片６０における開口縁５８を、熱接着性接着剤を内側に予め塗布した封緘用オーバーテープ６１で覆い、ヒートシーラーにて貼り付けて、他方の開口端部５７を密封するものである。
【先行技術文献】
【特許文献】
【０００４】
【特許文献１】実開昭５５−８６７４１号公報
【発明の概要】
【発明が解決しようとする課題】
【０００５】
しかしながら、図１４に示す従来の開封容易な多層紙袋は、一方および他方の開口端部５１および５７がいずれも予め付けてある折り目５３および５９に沿って折り畳み、一方の折畳み片５４における開口縁５２を、カットテープ５５付の開封用オーバーテープ５６で覆い、接着剤にて貼り付け塞ぐものであり、他方の折畳み片６０における開口縁５８を、熱接着性接着剤を内側に予め塗布した封緘用オーバーテープ６１で覆い、ヒートシーラーにて貼り付けたものであるから、粉粒体の粒径によっては、一方および他方の開口端部５１および５７の折り目５３および５９を通り、双方の開口縁５２および５８に達することがある。このため、カットテープ５５にて開封用オーバーテープ５６をカットして、一方の開口端部５１を開封すると、一方の開口縁５２に達している粉粒体がこぼれて周囲を汚したり、他方の開口縁５８に達している粉粒体は袋内から取り出しづらく、結局、一方の開口縁５２からこぼれた粉粒体および他方の開口縁５８に留まった粉粒体は無駄となる。
【０００６】
さらに、一方の開口端部５１を開封して、多層紙袋内の粉粒体の全量を他の容器に移す場合は、多層紙袋を逆さにすれば一方の開口縁５２が粉粒体の自重で開き、他の容器に粉粒体を容易に移すことが出来る。しかし、粉粒体の一部を他の容器に移す場合は、一方の開口縁５２を手指などで開けなければならず、その際手袋などをしていることが多いので、一方の開口縁５２を開くのになお一層手間取ることになる。
【０００７】
そこで、本発明の目的は、内容物が蒸れたり結露したりするのを防止すると共に、粉粒体の漏れの完全な阻止を満足した上で、ワンタッチ開封を容易且つ完全に行え、開口縁も容易に開けることが出来る開封容易な通気性多層紙袋を提供することにある。
【課題を解決するための手段】
【０００８】
本発明は、上記目的を達成するために提案されたものであって、下記の構成からなることを特徴とするものである。
すなわち、本発明によれば、紙よりなる２層以上の多層筒を折り潰し、この折潰し多層筒の一方の開口端部にその開口縁に平行な折り目を付け、この折り目から開口縁側に位置する最内層の内周面に、易剥離性接着剤を全周にわたり塗布して貼り付け、前記最内層における開口縁を塞ぎ、前記折り目に沿って一方の開口端部を折り畳んで、この一方の折畳み片における開口縁を開封用オーバーテープにて少なくとも覆い且つ貼り付け、前記一方の開口端部を密封してなり、前記折潰し多層筒の他方の開口端部にその開口縁に平行な折り目を付け、この折り目から開口縁側に位置する最内層の内周面に、熱接着性接着剤を予め全周にわたり塗布してなることを特徴とする開封容易な通気性多層紙袋が提供される。
【０００９】
また、本発明によれば、封緘用オーバーテープは、前記他方の開口端部に付けた前記折り目に沿って他方の開口端部を折り畳んで形成した他方の折畳み片における前記開口縁を少なくとも覆うと共に、その内側に前記熱接着性接着剤を予め塗布してなり、前記他方の折畳み片の反対側に位置する他方の開口端部に、前記封緘用オーバーテープを予め貼り付けている開封容易な通気性多層紙袋が提供される。
【００１０】
また、本発明によれば、前記最内層の内周面にある前記易剥離性接着剤の塗布部位から前記開口縁側の前記一方の開口端部に、Ｖ字状折り目を付けて、前記最内層の開口縁が前記多層筒の少なくとも一層分の厚み以上開くようにした開封容易な通気性多層紙袋が提供される。
【００１１】
また、本発明によれば、前記多層筒の一方の開口端部における開口縁を、それぞれ隣接する多層筒の一層に対して順次ズレを生じるように形成し、これらズレの合計長さが１ｍｍないし５ｍｍの範囲内にある開封容易な通気性多層紙袋が提供される。
【００１２】
また、本発明によれば、前記多層筒の一方の開口端部における開口縁を、それぞれ隣接する多層筒の一層に対して内側に位置する層ほど順次凹みズレを生じるように形成し、これら凹みズレの合計長さが１ｍｍないし５ｍｍの範囲内にある開封容易な通気性多層紙袋が提供される。
【００１３】
また、本発明によれば、前記開封用および封緘用オーバーテープは、紙製であり且つ幅方向の紙伸度が８％未満である開封容易な通気性多層紙袋が提供される。
【００１４】
上記第１の課題解決手段による作用は次の通りである。すなわち、多層筒の一方の開口端部の折り目から開口縁側に位置する最内層の内周面を、易剥離性接着剤によりその全周を貼り付け、多層筒の他方の開口端部の折り目から開口縁側に位置する最内層の内周面を、熱接着性接着剤により予めその全周にわたり塗布してあり、袋内に内容物たる粉粒体を充填したあと、加熱して最内層の内周面をその全周にわたり貼り付けるから、粉粒体の粒径の大小にかかわらず、双方の最内層の貼付け部位で粉粒体が止まり、一方および他方の開口端部の開口縁にまで粉粒体が達することがなく、加えて、通気性のある紙製であるから粉粒体が蒸れたり結露したりしない。
【００１５】
また、上記第２の課題解決手段による作用は、他方の開口端部に予め貼り付けてある封緘用オーバーテープを、折り目に沿って他方の折畳み片側に折り畳んでこれを覆い、封緘用オーバーテープを加熱して他方の折畳み片側の開口端部に貼り付ける。
【００１６】
また、上記第３の課題解決手段による作用は、開封用オーバーテープをカットして開封し一方の開口端部を開放すると、Ｖ字状折り目により付与した多層筒を構成する紙材のバネ弾性によって、最内層の開口縁が多層筒の少なくとも一層分の厚み以上開き、その開口縁に手指を引っ掛けて開ける。
【００１７】
また、上記第４の課題解決手段による作用は、開封用オーバーテープをカットして開封して一方の開口端部を開放すると、その開口縁にそれぞれ隣接する多層筒の一層に対して順次ズレが生じているから、そのズレている最内層の開口縁に手指を引っ掛けて開ける。
【００１８】
また、上記第５の課題解決手段による作用は、開封用オーバーテープをカットして開封して一方の開口端部を開放すると、その開口縁にそれぞれ隣接する多層筒の一層に対して
、内側に位置する層ほど順次凹みズレが生じているから、その凹みズレのある最内層の開口縁に手指を引っ掛けて開ける。
【００１９】
また、上記第６の課題解決手段による作用は、開封用および封緘用オーバーテープが紙製であるが、その幅方向の紙伸度が８％未満であるから、袋内に粉粒体を充填してその粉粒体の重さなどにより、双方のオーバーテープが伸びても僅か８％未満内であり、ずれたり剥がれたりしない。
【発明の効果】
【００２０】
本発明の開封容易な通気性多層紙袋によれば、通気性のある紙により、内容物が蒸れたり結露したりするのを防止すると共に、粉粒体の漏れの完全な阻止を満足した上で、開封用オーバーテープによる開封を容易且つ完全に行うことが出来る効果がある。
【００２１】
また、本発明の開封容易な通気性多層紙袋によれば、上記の効果に加えて、封緘用オーバーテープによる他方の開口端部への貼り付けも容易に出来る効果がある。
【００２２】
また、本発明の開封容易な通気性多層紙袋によれば、上記の効果に加えて、開封用オーバーテープによる開封後、Ｖ字状折り目により最内層の開口縁が少なくとも一層分の厚み以上開いているから、その開口縁に手指を引っ掛け得て、容易に開けることが出来る効果がある。
【００２３】
また、本発明の開封容易な通気性多層紙袋によれば、上記の効果に加えて、開封用オーバーテープによる開封後、開口縁にそれぞれ隣接する多層筒の一層に対してズレが生じているから、最内層の開口縁のズレに手指を引っ掛け得て、容易に開けることが出来る効果がある。
【００２４】
また、本発明の開封容易な通気性多層紙袋によれば、上記の効果に加えて、開封用オーバーテープによる開封後、開口縁にそれぞれ隣接する多層筒の一層に対して凹みズレが生じているから、最内層の開口縁の凹みズレに手指を引っ掛けて得て開けることが出来る効果がある。
【００２５】
また、本発明の開封容易な通気性多層紙袋によれば、上記の効果に加えて、開封用および封緘用オーバーテープが袋内に充填した粉粒体の重さなどにより伸びても、ずれたり剥がれたりせず粉粒体が外に漏れることがない効果がある。
【図面の簡単な説明】
【００２６】
【図１】実施例１に示した本発明の実施の形態を示す内容物入りの開封容易な通気性多層紙袋の斜視図である。
【図２】同じく開封容易な通気性多層紙袋に用いる多層筒を示す斜視図である。
【図３】同じく開封容易な通気性多層紙袋に用いる他形状の多層筒を示す斜視図である。
【図４】同じく本発明の実施の形態を示す開封容易な通気性多層紙袋の縦断面図である。
【図５】図１のI-I線に沿う縦断面図である。
【図６】図１のI-I線に沿う一方の開口縁が他形状の縦断面図である。
【図７】同じく本発明の実施の形態を示す他形状の開封容易な通気性多層紙袋の縦断面図である。
【図８】同じく開封容易な通気性多層紙袋の製作状態を示す平面図である。
【図９】同じく開封容易な通気性多層紙袋の製作状態を示す平面図である。
【図１０】同じく開封容易な通気性多層紙袋の製作状態を示す平面図である。
【図１１】同じく開封容易な通気性多層紙袋の封緘状態を示す平面図である。
【図１２】同じく開封容易な通気性多層紙袋の封緘状態を示す平面図である。
【図１３】同じく開封容易な通気性多層紙袋の封緘状態を示す平面図である。
【図１４】従来例を示す斜視図である。
【発明を実施するための形態】
【００２７】
以下に、図面を参照して本発明を実施するための最良の形態を説明する。
【実施例１】
【００２８】
図面において、１は開封容易な通気性多層紙袋（以下、単に「多層紙袋」という」であり、この多層紙袋１は、例えば、紙よりなる最内層２および外層２０を有する２層以上の多層筒３を折り潰し、この折潰し多層筒３の一方の開口端部４は、内容物たる粉粒体Ｐを取り出す側となり、後述の他方の開口端部８は、粉粒体Ｐを充填する側となる。この折潰し多層筒３は、一方の開口端部４にその開口縁４ａに平行な折り目５を付け、この折り目５から開口縁４ａ側に位置する最内層２の内周面２Ａに、易剥離性接着剤６を全周にわたり塗布して貼り付け、最内層２における開口縁２ａを塞ぎ、折り目５に沿って一方の開口端部４を折り畳んで、この一方の折畳み片４ｂにおける開口縁４ａを開封用オーバーテープ７にて少なくとも覆い、且つ多層筒３外面に接着剤Ｇ（図４参照）にて貼り付け、粉粒体Ｐ（図５、６参照）を充填する側の一方の開口端部４を密封してなるものであり、さらに、上述の粉粒体Ｐを充填する側となる、他方の開口端部８にその開口縁８ａに平行な折り目９を付け、この折り目９から開口縁８ａ側に位置する最内層２の内周面２Ａに、熱接着性接着剤１０を予め全周にわたり塗布してなるものである。そして、この他方の開口端部８も、粉粒体Ｐを充填した後であるが、後に詳述する封緘用オーバーテープ２７にて、一方の開口端部４の場合と同様に密封している。
【００２９】
前記多層筒３は、径及び長さとも使用目的に合わせた任意のものが選択され、この実施例では、最内層２および外層２０の２層とし、いずれも紙であり、最内層２および外層２０を接着剤２１にて胴貼りして２枚重ね状態の筒状とし、さらに、外層２０の内周面の上方部と下方部に塗った点貼のり２２により、最内層２と外層２０とを貼り付け互いにズレが生じないようにしている。この多層筒３は、２層に限定されず、３層以上の多層でも良いがいずれも紙であるとする。なお、多層筒３は、図２で示すヒダ無し以外に、図３で示すヒダ３ａ付きの多層筒３Ａであってもよい。この実施例では、図２のヒダ無しのものについて、主に説明するものとする。
【００３０】
上記した紙の材質は、通気性を有するクラフト紙（ＪＩＳ P3401）、クラフト伸長紙、晒クラフト紙、耐水紙および耐油紙など一般に包材に使用するものが例示される。これら例示したものに限らず、通気性があり且つ所定の強度を有したものであれば、特に限定がない。なお、最内層２および外層２０は、紙であることが必須条件である。いずれにしても、多層筒３は、通気性、強度、適度の防湿性など用途目的に応じて適宜材料を選択し、最内層２および外層２０は紙で構成する。
【００３１】
前記多層筒３は、図４に示すように、上記の一方の開口端部４にＶ字状折り目２３を付け、そのＶ字状折り目２３の位置は、最内層２にある易剥離性接着剤６の塗布部位から開口縁４ａ側よりにある。このＶ字状折り目２３により、開封用オーバーテープ７をカットし開封して一方の開口端部４を開放すると、最内層２および外層２０を構成する紙のバネ弾性によって、これらの少なくとも一層分の厚みｔ以上開くことになるから、手指を最内層２の開口縁２ａに掛け易く容易に開けることが出来、多層紙袋１内の粉粒体Ｐを取り出し易くなる。
【００３２】
また、上記の手指を最内層２の開口縁２ａに掛け易くする方式は、図５に示すように、多層筒３の一方の開口端部４における開口縁４ａを、それぞれ隣接する最内層２および外層２０の一層に対して順次ズレ２４を生じるように形成し、これらズレ２４の合計長さが１ｍｍないし５ｍｍの範囲内にあるようにしてもよい。したがって、開封用オーバーテープ７をカットして開封し一方の開口端部４を開放すると、その開口縁４ａにそれぞれ隣接する最内層２および外層２０の一層に対して、順次ズレ２４が生じているから、手指を最内層２の開口縁２ａに掛け易く、容易に開けることが出来て、多層紙袋１内の粉粒体Ｐを取り出し易くなる。なお、ズレ２４の合計長さが１ｍｍないし５ｍｍの範囲内とする理由は、多層筒３の製作機械のカッター刃の山と谷との高低差が、標準的に最大５ｍｍであり、ズレ２４の合計長さが１ｍｍないし５ｍｍの範囲内であれば、多層筒３を製作する過程で、その位置規制時に紙の有する剛性により、開口縁４ａが折れたり、曲がったりすることが無く、ズレ２４によって手指を最内層２の開口縁２ａに掛けることが出来る。
【００３３】
さらに、手指を最内層２の開口縁２ａに掛け易くする方式は、図６に示すように、多層筒３の一方の開口端部４における開口縁４ａを、それぞれ隣接する最内層２および多層筒３の一方の開口端部４における開口縁４ａを、それぞれ隣接する最内層２および外層２０に対して内側に位置する最内層２ほど順次凹みズレ２５を生じるように形成し、これら凹みズレ２５の合計長さが１ｍｍないし５ｍｍの範囲内にあるようにしてもよい。したがって、開封用オーバーテープ７をカットして開封して一方の開口端部４を開放すると、その開口縁４ａにそれぞれ隣接する最内層２および外層２０の一層に対して、順次凹みズレ２５が生じているから、手指を最内層２の開口縁２ａに掛け易く、容易に開けることが出来て、多層紙袋１内の粉粒体Ｐを取り出し易くなる。なお、凹みズレ２５の合計長さが１ｍｍないし５ｍｍの範囲内とする理由は、ズレ２４の場合と同様である。
【００３４】
前記易剥離性接着剤６は、エチレンビニルアセテート、アクリルー酢酸ビニル、ポリビニルアルコールなどが例示されるが、接着したあと比較的剥がし易いものであれば、特に限定されるものではない。また、これに関連して、熱接着性接着剤１０は、ポリエチレン、ポリプロピレン、エチレンポリビニルアセテート、ポリビニルアルコール、ホットメルトなどが例示されるが、これらはいずれも接着しようとして加熱しない限り、べた付かないことが条件となる。また、胴貼り用の接着剤２１および点貼のり２２は、エチレンビニルアセテート、アクリルー酢酸ビニル、ポリビニルアルコール、ゴム系、澱粉、カルボキシメチルセルロース（ＣＭＣ）などが例示される。
【００３５】
前記開封用オーバーテープ７は、カットテープ２６が設けられ、このカットテープ２６の両脇に位置する開封用オーバーテープ７には切り込み７ａが入り、カットテープ２６により一気に容易且つ完全に切り裂くことができ、前記多層紙袋１を容易に開封できるようになっている
【００３６】
また、この実施例においては、前記開封用オーバーテープ７および前記封緘用オーバーテープ２７の材質は、上記した紙と同じものが選択され、秤量７０ｇ／ｍ2ないし１４０ｇ／ｍ2（ＪＩＳ P8124）であり、且つ、幅方向の紙伸度（ＪＩＳ P8113）が８％未満のものを使用している。双方の開封用および封緘用オーバーテープ７および２７が所定の強度を備え、紙伸度が８％未満であることにより、層紙袋１内の粉粒体の重みにより多層紙袋１が多少伸び連れて、双方のオーバーテープ７および２７が伸びても、その伸びがほぼ８％の範囲内に収まって粉粒体が外に漏れることがない。また、特に開封用オーバーテープ７の場合、後述のカットテープ２６により切り裂くことができるものであれば良い。
【００３７】
一方、折潰した多層筒３は、すでに述べたように、前記他方の開口端部８に付けた折り目９から開口縁８ａ側に位置する最内層２の内周面２Ａに、熱接着性接着剤１０を予め全周にわたり塗布してある。そして、封緘用オーバーテープ２７は、他方の開口端部８側から袋内に粉粒体Ｐを充填したあと、折り目９に沿って他方の開口端部８を折り畳んで出来た他方の折畳み片８ｂにおける開口縁８ａを少なくとも覆うものであり、その内側に前記熱接着性接着剤１０を予め塗布してあるものである。したがって、図７に示すように、この封緘用オーバーテープ２７を、他方の折畳み片８ｂの反対側に位置する他方の開口端部８に、予め接着剤Ｇにて貼り付けた状態のものを多層紙袋１Ａとし、これを需要家用に供することも可能である。
【００３８】
そして、粉粒体Ｐを充填する側である他方の開口端部８から粉粒体Ｐを充填した後、折り目９に沿って他方の開口端部８を折り畳み、ヒートシーラーなどで加熱して、熱接着性接着剤１０により他方の開口端部８を閉じ、開口縁８ａから粉粒体Ｐが漏れないようにする。さらに、封緘用オーバーテープ２７も、他方の開口端部８の上から折り目９に沿って折り畳んで、他方の折畳み片８ｂにおける開口縁８ａを覆い、同様にヒートシーラーなどで加熱して熱接着性接着剤１０により他方の開口端部８上に貼り付ける。なお、このヒートシーラーなどで加熱して、他方の開口端部８を閉じる作業と、他方の開口端部８上に封緘用オーバーテープ２７を貼り付ける作業とは、同時進行で行うことも可能である。
【００３９】
上記構成になる開封容易な通気性多層紙袋１は、以下のようにして作られる。
まず、図８に示すように、最内層２および外層２０となる紙を用意し、最内層２用の紙において、折り目５とする開口縁４ａ側に位置する最内層２の内周面２Ａに、易剥離性接着剤６を全周にわたり塗布して貼り付け、最内層２における開口縁２ａを塞ぎ、接着剤２１にて胴貼りして筒状にする。外層２０となる紙において、折り目９とする開口縁８ａ側に位置する最内層２の内周面２Ａに、熱接着性接着剤１０を予め全周にわたり塗布しておき、さらに、外層２０となる紙に接着剤２１および点貼のり２２を塗布し、最内層２を包み込んだ状態で接着剤２１にて胴貼りし筒状にすると共に、点貼のり２２にて最内層２および外層２０がずれないようにして、多層筒３とする。
【００４０】
次に、多層筒３の一方および他方の開口端部４および８に、折り目５および９を付け、図９に示すように、一方の開口端部４を折り目５に沿って折り畳み、図１０に示すように
、この一方の折畳み片４ｂの開口縁４ａを開封用オーバーテープ７にて少なくとも覆い貼り付け、粉粒体Ｐを充填する側の一方の開口端部４を密封する。この状態で粉粒体Ｐを充填する前の多層紙袋１が完成し、需要家に引き渡しできる状態になる。なお、すでに述べたように、封緘用オーバーテープ２７の内側に前記熱接着性接着剤１０を予め塗布し、その封緘用オーバーテープ２７を、他方の折畳み片８ｂの反対側に位置する他方の開口端部８に予め接着剤Ｇにて貼り付けておくようにして（図７参照）、需要家に引き渡しできる状態にしてもよい。この封緘用オーバーテープ２７付きの多層紙袋１Ａは、多層紙袋１内に粉粒体Ｐを充填した後、封緘用オーバーテープ２７による他方の開口端部８の密封作業を容易にすることが出来る。
【００４１】
上記構成になる開封容易な通気性多層紙袋１の使用形態について説明する。
図４、１０の多層紙袋１あるいは 図７の封緘用オーバーテープ２７付きの多層紙袋１Ａを、図１１に示すように、粉粒体Ｐを充填する側の他方の開口端部８を上にして、粉粒体Ｐを貯蔵しているホッパーなどの下に置く。次いで、開口縁８ａを開きホッパーなどから粉粒体Ｐを多層紙袋１内に充填し、図１２に示すように、充填完了後に折り目９に沿って他方の開口端部８を折り畳み、さらに、図１３に示すように、他方の折畳み片８ｂの開口縁８ａを封緘用オーバーテープ２７にて少なくとも覆い、ヒートシーラーにより開口縁８ａの層最内層２における開口縁２ａを塞ぎ閉じると共に、他方の開口端部８に封緘用オーバーテープ２７を貼り付け、粉粒体Ｐを充填する側の他方の開口端部８を密封して、粉粒体Ｐ入りの多層紙袋１として、市場に出荷する。
【００４２】
粉粒体Ｐ入りの多層紙袋１は、カットテープ２６にて開封用オーバーテープ７を切り裂き、一方の開口端部４を裸出すると、最内層２の開口縁２ａがＶ字状折り目２３による一層分の厚み以上開き、ズレ２４および凹みズレ２５などにより手指を掛け易い状態になっているから、直ちに開口縁２ａに手指を掛けることが出来、易剥離性接着剤６の粘着力に抗して開口縁２ａを開け得て、多層紙袋１内あるいは多層紙袋１Ａ内の粉粒体Ｐを容易に取り出すことが出来る。
【００４３】
以上、本発明の実施例１を説明したが、具体的な構成はこれに限定されず、本発明の要旨を逸脱しない範囲での変更は適宜可能であることは理解されるべきである。
【産業上の利用可能性】
【００４４】
本発明の開封容易な通気性多層紙袋は、内容物の蒸れや結露を防止出来、粉粒体の漏れの完全な阻止を満足した上で、ワンタッチ開封を容易且つ完全に行え、開口縁も容易に開け得て内容物を容易に取り出したいような場合に、利用可能性が極めて高くなる。
【符号の説明】
【００４５】
１、１Ａ                  開封容易な通気性多層紙袋（多層紙袋）
２                        最内層
２Ａ                      内周面
２ａ、４ａ、８ａ、５２、
５８                      開口縁
３、３Ａ、５０            多層筒
３ａ                      ヒダ
４、５１                  一方の開口端部
４ａ                      一方の折畳み片の開口縁  
４ｂ、５４                一方の折畳み片
５、９、５３、５９        折り目
６                        易剥離性接着剤
７、５６                  開封用オーバーテープ
７ａ                      切り込み
８、５７                  他方の開口端部
８ａ                      他方の折畳み片の開口縁
８ｂ、６０                他方の折畳み片
１０                      熱接着性接着剤
２０                      外層
２１                      胴ばり用の接着剤
２２                      点貼のり
２３                      Ｖ字状折り目
２４                      ズレ
２５                      凹みズレ
２６、５５                カットテープ
２７、６１                封緘用オーバーテープ
Ｇ                        接着剤
Ｐ                        粉粒体
ｔ                        厚み
【図１】
2015155314.tif 000003
【図２】
2015155314.tif 000004
【図３】
2015155314.tif 000005
【図４】
2015155314.tif 000006
【図５】
2015155314.tif 000007
【図６】
2015155314.tif 000008
【図７】
2015155314.tif 000009
【図８】
2015155314.tif 000010
【図９】
2015155314.tif 000011
【図１０】
2015155314.tif 000012
【図１１】
2015155314.tif 000013
【図１２】
2015155314.tif 000014
【図１３】
2015155314.tif 000015
【図１４】
2015155314.tif 000016